(57)【特許請求の範囲】
【請求項１】
接続対象回路に接続された接続相手側が挿入力ゼロで挿入されてこの接続相手側と嵌合し、前記接続対象回路を親回路に電気的に接続するためのＺＩＦ型コネクタであって、次の（イ）〜（ニ）の各構成
（イ）それぞれが、前記接続相手側の対応する第１のコンタクトと接触接続するための接触部と、前記親回路の対応する第１の電極と接続するための接続部と、これら接触部・接続部間を予め定められた形状でつなぐばね部と、このばね部の予め定められた位置に設けられた保持固定部と、前記ばね部の、前記接触部近傍で、かつ前記保持固定部とは反対側の自由端側に設けられ前記接触部の配置位置とは逆方向鉤状に突出したＺＩＦ係合部と、を備え、弾性導電体で一体形成された、複数の第１のコンタクト
（ロ）それぞれが、前記第１のコンタクトの接触部とは重ならない位置に設けられ前記接続相手側の対応する第２のコンタクトと接触接続するための接触部と、前記親回路の対応する第２の電極と接続するための接続部と、これら接触部・接続部間を予め定められた形状でつなぐばね部と、このばね部の、前記第１のコンタクトの保持固定部のばね部への配設位置に対しこの保持固定部とは重ならないような位置に設けられた保持固定部と、前記ばね部の、前記接触部近傍で、かつ前記保持固定部とは反対側の自由端側に設けられこの接触部の配置位置とは逆方向に鉤状に突出したＺＩＦ係合部と、を備え、弾性導電体で一体形成された、複数の第２のコンタクト
（ハ）前記接続相手側が挿入されてこれと嵌合する接続相手側嵌合部を備え、前記複数の第１のコンタクト及び複数の第２のコンタクトを、第１のコンタクトと第２のコンタクトとを交互に、かつそれぞれの接触部が前記接続相手側嵌合部内に納まり前記接続相手側との接触接続面に対しジグザグ状配置となるように配列して、前記複数の第１のコンタクト及び複数の第２のコンタクトの保持固定部を、第１のコンタクトの列と第２のコンタクトの列との間に一定の間隙を隔ててジグザグ状配置となるように保持固定するインシュレータ
（ニ）前記複数の第１のコンタクト及び複数の第２のコンタクトのＺＩＦ係合部と係合しテコの原理を利用してこれら第１のコンタクト及び第２のコンタクトの接触部を一定量変位させ、前記接続相手側の、前記インシュレータの接続相手側嵌合部への挿入時に、前記接続相手側に対する挿入力をゼロにするＺＩＦ機構
を有するＺＩＦ型コネクタにおいて、
前記複数の第１のコンタクト及び複数の第２のコンタクトそれぞれが、予め設定された面に対し、第１のコンタクトの先端部分の配列と第２のコンタクトの先端部分の配列との間に一定の間隙が生じるような形状に形成され、前記インシュレータが、前記複数の第１のコンタクトの先端部分及び複数の第２のコンタクトの先端部分を、前記ＺＩＦ機構によるこれら先端部分の変位が妨げられないように、かつ互いに接触しないように保持する、コンタクト先端保持部を備えることを特徴とするＺＩＦ型コネクタ。
【請求項２】
前記インシュレータが、そのコンタクト先端保持部の部分を分離、装着可能な構造である請求項１記載のＺＩＦ型コネクタ。
【請求項３】
前記複数の第１のコンタクト及び複数の第２のコンタクトを隣接する１対の第１のコンタクト及び第２のコンタクトを１組とする複数組に分け、これら複数組それぞれの第１のコンタクトの先端部分及び第２のコンタクトの先端部分が、前記ＺＩＦ機構によるこれら先端部分の変位方向の一直線上に、互いに一定の間隙を隔てて並ぶような形状に前記複数の第１のコンタクト及び複数の第２のコンタクトそれぞれが形成され、前記インシュレータのコンタクト先端保持部が、前記複数組それぞれの第１のコンタクトの先端部分及び第２のコンタクトの先端部分が挿入されてこれら先端部分を保持する、複数のスリットが形成された構造である請求項１記載のＺＩＦ型コネクタ。
【請求項４】
前記複数の第１のコンタクトの先端部分及び複数の第２のコンタクトの先端部分が前記ＺＩＦ機構によるこれら先端部分の変位面に対し、ジグザグ状かつ一定間隙を隔てた２列配置となるような形状にこれら複数の第１のコンタクト及び複数の第２のコンタクトそれぞれが形成され、前記インシュレータの先端保持部が、前記複数の第１のコンタクトの先端部分及び複数の第２のコンタクトの先端部分それぞれが挿入されてこれら先端部分を保持する、ジグザグ状かつ一定間隙を隔てた２列配置の複数のスリットが形成された構造である請求項１記載のＺＩＦ型コネクタ。
【請求項５】
請求項１中の（イ）〜（ニ）の構成を有するＺＩＦ型コネクタにおいて、複数の第１のコンタクトそれぞれが、その接触部と保持固定部との間のばね部の予め定められた位置から、これら複数の第１のコンタクトの配列方向と直交する一方向に突出してこれら第１のコンタクトの配列方向の横振れを防止するための突出部を備えて成り、複数の第２のコンタクトそれぞれが、その接触部と保持固定部との間のばね部の予め定められた位置から、これら複数の第２のコンタクトの配列方向と直交して、前記第１のコンタクトの突出部とは逆の方向に突出し、これら第２のコンタクトの配列方向の横振れを防止するための突出部を備えて成り、インシュレータが、前記複数の第１のコンタクトの突出部それぞれを保持する、複数の横振れ防止用の第１のスリットと、前記複数の第２のコンタクトの突出部それぞれを保持する、複数の横振れ防止用の第２のスリットと、を備えることを特徴とするＺＩＦ型コネクタ。
【請求項６】
請求項１中の（イ）〜（ニ）の構成を有するＺＩＦ型コネクタにおいて、インシュレータが、その接続相手側嵌合部のうちの、接続相手側の接触接続面の裏側の面が当接する部分を、インナーインシュレータとして分離、装着可能な構造であり、複数の第１のコンタクトそれぞれが、そのばね部の予め定められた部位から、前記インナーインシュレータの方向に突出する嵌合受け部を備えて成り、前記インナーインシュレータが複数の受け部圧入部を備え、これら複数の受け部圧入部に前記複数の第１のコンタクトの嵌合受け部が圧入される構造であることを特徴とするＺＩＦ型コネクタ。
【請求項７】
請求項１中の（イ）〜（ニ）の構成を有するＺＩＦ型コネクタにおいて、前記ＺＩＦ機構が、その先端を前記複数の第１のコンタクト及び複数の第２のコンタクトの鉤状のＺＩＦ係合部にひっかけるように係合させ、その中間部分を前記インシュレータに固定させてこの中間部分を支点として回動し、その先端部分を一定量変位させるアクチュエータを含み、前記インシュレータ、並びに複数の第１のコンタクト及び複数の第２のコンタクトに対し着脱可能な構造であることを特徴とするＺＩＦ型コネクタ。
【発明の詳細な説明】
【０００１】
【発明の属する技術分野】
本発明はＺＩＦ型コネクタに関し、特に接続対象回路に接続された相手方コネクタが挿入力ゼロで挿入されてこの相手方コネクタと嵌合し、接続対象回路を親回路に接続するためのＺＩＦ型コネクタに属する。
【０００２】
【従来の技術】
２つの回路間を電気的に接続するために用いられるコネクタは、嵌合相手（相手方コネクタ）の電極に対し、自身のコンタクトを加圧接触させる必要があるため、コンタクトの状態を変えないでこのコネクタに嵌合相手の電極を挿入すると、その際に、比較的大きな挿入力を必要とする。また、コンタクト・電極間の摺動により、コンタクトや電極が損傷することもあり得る。そこで、ＺＩＦ型コネクタでは、治具等を用いてコンタクトの接触部を変位させ、相手方コネクタに対する挿抜力がゼロとなるようにしている。
【０００３】
このようなＺＩＦ型コネクタにおいても、当然、狭ピッチ化、多芯化が進行しており、各種の工夫がなされている。
従来のこの種のＺＩＦ型コネクタの第１の例を図７（ａ）〜（ｃ）に示す。なお、このＺＩＦ型コネクタは、ディスプレイ等に使用されるものである。
この第１の例のＺＩＦ型コネクタは、主に、複数のコンタクト１００ｘと、ベースインシュレータ３１０ｘ及びインナーインシュレータ３２０ｘから成るインシュレータ３００ｘとを備えて構成され、これら各部の構成は次のとおりである。
【０００４】
複数のコンタクト１００ｘそれぞれは、相手方コネクタ５００ｘの対応するコンタクトと接触接続するための接触部１１０ｘと、親基板６００ｘの対応する電極と接触接続するための接続部１２０ｘと、これら接触部１１０ｘ・接続部１２０ｘ間をコの字状につなぐばね部１３０ｘと、このばね部１３０ｘのコの字状の縦棒部分から外側方向に延びる２本の保持固定部１４０ｘと、を備え、弾性導電体（例えば金属）で一体形成されている。
【０００５】
インシュレータ３００ｘのうちのベースインシュレータ３１０ｘは、その１つの面に、各コンタクト１００ｘのコの字状の縦棒部分を配列するための複数のスリット３１１ｘが一定間隔で配列、形成され、また、これら各スリット３１１ｘの底の２箇所に、コンタクト１００ｘの保持固定部１４０ｘを保持、固定するためのコンタクト保持部３１２ｘが形成されていて、複数のコンタクト１００ｘそれぞれの、保持固定部１４０ｘをコンタクト保持部３１２ｘに圧入し、かつコの字状の縦棒部分をスリット３１１ｘに挿入してそのコンタクト１００ｘを保持固定し、これら複数のコンタクトを配列、保持固定する。
【０００６】
インシュレータ３００ｘのうちのインナーインシュレータ３２０ｘは、ベースインシュレータ３１０ｘに配列、保持固定された複数のコンタクト１００ｘの、コの字状の内側に配置、固定されて、これら複数のコンタクト１００ｘの接触部１１０ｘの配列との間に、相手方コネクタ５００ｘが挿入されてこれと嵌合するための相手方コネクタ嵌合部３４０ｘを形成する一方、接続部１２０ｘの配列との間には、親基板６００ｘが挿入されるスペース（記号、各称省略）を形成する。
【０００７】
また、複数のコンタクト１００ｘの、コの字状の横棒部分の側面には、隣接するコンタクトとの接触、短絡を防止するための絶縁テープ１９０が貼り付けられている。
【０００８】
このＺＩＦ型コネクタにおいて、相手方コネクタ５００ｘが相手方コネクタ嵌合部３４０ｘに挿入されてこれと嵌合した際に、複数のコンタクト１００ｘそれぞれの接触部１１０ｘが相手方コネクタ５００ｘの対応する電極に加圧接触するように、相手方コネクタ未挿入時には、これら接触部１１０ｘとインナーインシュレータ３２０ｘとの間の寸法は相手方コネクタ５００ｘの厚さ寸法より小さくなっている。そこで、特殊な治具等により、接触部１１０ｘとインナーインシュレータ３２０ｘとの間を拡げて、相手方コネクタ５００ｘが挿入力ゼロで、相手方コネクタ嵌合部３４０ｘに挿入されるようにする。このことは、親基板６００ｘが挿入されるスペース、接続部１２０ｘについても同様である。
【０００９】
図８（ａ）〜（ｃ）は、従来のＺＩＦ型コネクタの第２の例を示す側面図、Ａ−Ａ矢視断面図、及びコンタクト装着前のインシュレータ部分の平面図である。この第２の例のＺＩＦ型コネクタは、複数のコンタクト１００ｙと、ベースインシュレータ３１０ｙ及びインナーインシュレータ３２０ｙから成るインシュレータ３００ｙと、を備えて構成され、これらの詳細は次のとおりである。
【００１０】
複数のコンタクト１００ｙそれぞれは、相手方コネクタ５００ｙの対応する電極と加圧接触接続するための接触部１１０ｙと、親基板６００ｙの対応する電極に接続（加圧接触）するための接続部１２０ｙと、接触部１１０ｙ・接続部１２０ｙ間をコの字状につなぐばね部１３０ｙと、このばね部１３０ｙの縦棒部分から外側に延びる２本の保持固定部１４０ｙと、を備えて弾性導電体で一体形成されている。
【００１１】
インシュレータ３００ｙのうちのベースインシュレータ３１０ｙは、その１つの面に各コンタクト１００ｙの保持固定部１４０ｙが挿入されるコンタクト保持部３１２ｙが形成されており、複数のコンタクト１００ｙの保持固定部１４０ｙがこれらコンタクト保持部３１２ｙに圧入されてこれを保持、固定し、複数のコンタクト１００ｙを配列、保持固定する。
【００１２】
インシュレータ３００ｙのうちのインナーインシュレータ３２０ｙは、ベースインシュレータ３１０ｙに配列、保持固定された複数のコンタクト１００ｙの、コの字状の内側に配置、固定されて、これら複数のコンタクト１００ｙの接触部１１０ｙの配列との間に、相手方コネクタ嵌合部３４０ｙを形成する一方、接続部１２０ｙの配列との間に親基板６００ｙが挿入される、スペースを形成する。
【００１３】
この第２の例の場合も、第１の例と同様に、治具等を用いて、複数のコンタクト１００ｙの、接触部１１０ｙとインナーインシュレータ３２０ｙとの間、接続部１２０ｙとインナーインシュレータ３２０ｙとの間を拡げて、相手方コネクタ５００ｙ、及び親基板６００ｙが、挿入力ゼロで挿入できるようにする。
【００１４】
【発明が解決しようとする課題】
上述した従来のＺＩＦ型コネクタは、第１の例では、複数のコンタクト１００ｘを配列、保持固定するために、ベースインシュレータ３１０ｘの１つの面に、これらコンタクト１００ｘそれぞれに対し、スリット３１１ｘ及び２つずつのコンタクト保持部３１２ｘを形成して、コンタクト１００ｘの保持固定部１４０ｘをコンタクト保持部３１２ｘに圧入し、コンタクト１００ｘのばね部のコの字状の縦棒部分をスリット３１１ｘに挿入、配列する構造となっているので、狭ピッチ化が進み、隣接するスリット３１１ｘ間、コンタクト保持部３１２ｘ間の肉厚が薄くなると、その強度が低下して圧入の際や実使用時にこれらスリット３１１ｘ、コンタクト保持部３１２ｘが破損する危険性があり、狭ピッチ化、多芯化が制約されるという問題があり、また、隣接するコンタクト同志が接触、短絡しないようにコンタクト１００ｘのばね部１３０ｘの側面に絶縁テープ１９０を貼りつける構造となっているので、そのための部材費、工数が必要となってコスト高になるという問題点があり、更に、ＺＩＦ機能を実行するために、特殊な治具等によりコンタクト１００ｘの接触部１１０ｘ、接続部１２０ｘとインナーインシュレータ３２０ｘとの間を拡げる構成となっているので、拡げすぎやコンタクトの損傷がないように細心の注意をはらってその作業を行わなければならず、コンタクトを変形させてその接触部１１０ｘ、接続部１２０ｘの位置ずれが生じる危険性があり、第２の例では、ベースインシュレータ３１０ｙにスリットはないものの、コンタクト保持部３１２ｙに関して、第１の例と同様の問題点があり、また、コンタクト１００ｙには絶縁テープは貼りつけられていないが、やはり第１の例と同様の問題が潜んでおり、更にＺＩＦ機能に関しても、第１の例と同様の問題点がある。
【００１５】
本発明の目的は、上記従来技術の問題点に鑑みて、インシュレータのコンタクト保持部やスリットが破損することなく更なる狭ピッチ化、多芯化が可能となり、隣接するコンタクト間の接触、短絡を低コストで実現でき、しかも、ＺＩＦ操作のための作業が容易で、コンタクトの接触部の位置ずれを生じないようにしたＺＩＦ型コネクタを提供することにある。
【００１６】
【課題を解決するための手段】
本発明のＺＩＦ型コネクタは、接続対象回路に接続された接続相手側が挿入力ゼロで挿入されてこの接続相手側と嵌合し、前記接続対象回路を親回路に電気的に接続するためのＺＩＦ型コネクタであって、次の（イ）〜（ニ）の各構成
（イ）それぞれが、前記接続相手側の対応する第１のコンタクトと接触接続するための接触部と、前記親回路の対応する第１の電極と接続するための接続部と、これら接触部・接続部間を予め定められた形状でつなぐばね部と、このばね部の予め定められた位置に設けられた保持固定部と、前記ばね部の、前記接触部近傍で、かつ前記保持固定部とは反対側の自由端側に設けられ前記接触部の配置位置とは逆方向鉤状に突出したＺＩＦ係合部と、を備え、弾性導電体で一体形成された、複数の第１のコンタクト
（ロ）それぞれが、前記第１のコンタクトの接触部とは重ならない位置に設けられ前記接続相手側の対応する第２のコンタクトと接触接続するための接触部と、前記親回路の対応する第２の電極と接続するための接続部と、これら接触部・接続部間を予め定められた形状でつなぐばね部と、このばね部の、前記第１のコンタクトの保持固定部のばね部への配設位置に対しこの保持固定部とは重ならないような位置に設けられた保持固定部と、前記ばね部の、前記接触部近傍で、かつ前記保持固定部とは反対側の自由端側に設けられこの接触部の配置位置とは逆方向に鉤状に突出したＺＩＦ係合部と、を備え、弾性導電体で一体形成された、複数の第２のコンタクト
（ハ）前記接続相手側が挿入されてこれと嵌合する接続相手側嵌合部を備え、前記複数の第１のコンタクト及び複数の第２のコンタクトを、第１のコンタクトと第２のコンタクトとを交互に、かつそれぞれの接触部が前記接続相手側嵌合部内に納まり前記接続相手側との接触接続面に対しジグザグ状配置となるように配列して、前記複数の第１のコンタクト及び複数の第２のコンタクトの保持固定部を、第１のコンタクトの列と第２のコンタクトの列との間に一定の間隙を隔ててジグザグ状配置となるように保持固定するインシュレータ
（ニ）前記複数の第１のコンタクト及び複数の第２のコンタクトのＺＩＦ係合部と係合しテコの原理を利用してこれら第１のコンタクト及び第２のコンタクトの接触部を一定量変位させ、前記接続相手側の、前記インシュレータの接続相手側嵌合部への挿入時に、前記接続相手側に対する挿入力をゼロにするＺＩＦ機構
を有するＺＩＦコネクタにおいて、
前記複数の第１のコンタクト及び複数の第２のコンタクトそれぞれが、予め設定された面に対し、第１のコンタクトの先端部分の配列と第２のコンタクトの先端部分の配列との間に一定の間隙が生じるような形状に形成され、前記インシュレータが、前記複数の第１のコンタクトの先端部分及び複数の第２のコンタクトの先端部分を、前記ＺＩＦ機構によるこれら先端部分の変位が妨げられないように、かつ互いに接触しないように保持する、コンタクト先端保持部を備えることを特徴とするＺＩＦ型コネクタである。
【００１８】
また、前記インシュレータが、そのコンタクト先端保持部の部分を分離、装着可能な構造である構成を有している。
【００１９】
また、前記複数の第１のコンタクト及び複数の第２のコンタクトを隣接する１対の第１のコンタクト及び第２のコンタクトを１組とする複数組に分け、これら複数組それぞれの第１のコンタクトの先端部分及び第２のコンタクトの先端部分が、前記ＺＩＦ機構によるこれら先端部分の変位方向の一直線上に、互いに一定の間隙を隔てて並ぶような形状に前記複数の第１のコンタクト及び複数の第２のコンタクトそれぞれが形成され、前記インシュレータのコンタクト先端保持部が、前記複数組それぞれの第１のコンタクトの先端部分及び第２のコンタクトの先端部分が挿入されてこれら先端部分を保持する、複数のスリットが形成された構造である構成を有している。
【００２０】
また、前記複数の第１のコンタクトの先端部分及び複数の第２のコンタクトの先端部分が前記ＺＩＦ機構によるこれら先端部分の変位面に対し、ジグザグ状かつ一定間隙を隔てた２列配置となるような形状にこれら複数の第１のコンタクト及び複数の第２のコンタクトそれぞれが形成され、前記インシュレータの先端保持部が、前記複数の第１のコンタクトの先端部分及び複数の第２のコンタクトの先端部分それぞれが挿入されてこれら先端部分を保持する、ジグザグ状かつ一定間隙を隔てた２列配置の複数のスリットが形成された構造である構成を有している。
【００２１】
更に、前記ＺＩＦ型コネクタにおける、複数の第１のコンタクトそれぞれが、その接触部と保持固定部との間のばね部の予め定められた位置から、これら複数の第１のコンタクトの配列方向と直交する一方向に突出してこれら第１のコンタクトの配列方向の横振れを防止するための突出部を備えて成り、複数の第２のコンタクトそれぞれが、その接触部と保持固定部との間のばね部の予め定められた位置から、これら複数の第２のコンタクトの配列方向と直交して、前記第１のコンタクトの突出部とは逆の方向に突出し、これら第２のコンタクトの配列方向の横振れを防止するための突出部を備えて成り、インシュレータが、前記複数の第１のコンタクトの突出部それぞれを保持する、複数の横振れ防止用の第１のスリットと、前記複数の第２のコンタクトの突出部それぞれを保持する、複数の横振れ防止用の第２のスリットと、を備えて成る構成を有している。
【００２２】
更にまた、ＺＩＦ型コネクタにおける、インシュレータが、その接続相手側嵌合部のうちの、接続相手側の接触接続面の裏側の面が当接する部分を、インナーインシュレータとして分離、装着可能な構造であり、複数の第１のコンタクトそれぞれが、そのばね部の予め定められた部位から、前記インナーインシュレータの方向に突出する嵌合受け部を備えて成り、前記インナーインシュレータが複数の受け部圧入部を備え、これら複数の受け部圧入部に前記複数の第１のコンタクトの嵌合受け部が圧入される構造である、構成を有している。
【００２３】
また、前記ＺＩＦ機構が、その先端を前記複数の第１のコンタクト及び複数の第２のコンタクトの鉤状のＺＩＦ係合部にひっかけるように係合させ、その中間部分を前記インシュレータに固定させてこの中間部分を支点として回動し、その先端部分を一定量変位させるアクチュエータを含み、前記インシュレータ、並びに複数の第１のコンタクト及び複数の第２のコンタクトに対し着脱可能な構造である、構成を有している。
【００２５】
【発明の実施の形態】
本発明の第１の実施の形態は、複数の第１のコンタクト、複数の第２のコンタクト、インシュレータ、及びＺＩＦ機構を有する構成となっており、これら各部の詳細は次のとおりである。
【００２６】
複数の第１のコンタクトは、それぞれが、接続相手側の対応する第１のコンタクトと接触接続するための接触部と、親回路の対応する第１の電極と接続するための接続部と、これら接触部・接続部間を予め定められた形状でつなぐばね部と、このばね部の予め定められた位置に設けられた保持固定部と、上記ばね部の、上記接触部近傍で、かつ上記保持固定部とは反対側の自由端側に設けられ上記接触部の配置位置とは逆方向に鉤状に突出したＺＩＦ係合部と、を備え、弾性導電体で一体形成される。
【００２７】
複数の第２のコンタクトは、それぞれが、上記第１のコンタクトの接触部とは重ならない位置に設けられ上記接続相手側の対応する第２のコンタクトと接触接続するための接触部と、上記親回路の対応する第２の電極と接続するための接続部と、これら接触部・接続部間を予め定められた形状でつなぐばね部と、このばね部の、上記第１のコンタクトの保持固定部のばね部への配設位置に対しこの保持固定部とは重ならないような位置に設けられた保持固定部と、このばね部の、上記接触部近傍で、かつ上記保持固定部とは反対側の自由端側に設けられこの接触部の配置位置とは逆方向に鉤状に突出したＺＩＦ係合部と、を備え、弾性導電体で一体形成される。
【００２８】
インシュレータは、上記接続相手側が挿入されてこれと嵌合する接続相手側嵌合部を備え、上記複数の第１のコンタクト及び複数の第２のコンタクトを、第１のコンタクトと第２のコンタクトとを交互に、かつそれぞれの接触部が上記接続相手側嵌合部内に納まり上記接続相手側との接触接続面に対しジグザグ状配置となるように配列して、上記複数の第１のコンタクト及び複数の第２のコンタクトの保持固定部を、第１のコンタクトの列と第２のコンタクトの列との間に一定の間隙を隔ててジグザグ状配置となるように保持固定する。
【００２９】
ＺＩＦ機構は、上記複数の第１のコンタクト及び複数の第２のコンタクトのＺＩＦ係合部と係合しテコの原理を利用してこれら第１のコンタクト及び第２のコンタクトの接触部を一定量変位させ、上記接続相手側の、上記インシュレータの接続相手側嵌合部への挿入時に、上記接続相手側に対する挿入力をゼロにする。
【００３０】
このような構成、構造とすることにより、複数の第１のコンタクト及び複数の第２のコンタクトの接触部、及びインシュレータへの保持、固定が、第１のコンタクトの列と第２のコンタクトの列との間を離してジグザグ状となっており、第１のコンタクトの列の中、及び第２のコンタクトの列の中でも、隣接するコンタクト間を、同一列配列の場合に比べ２倍にすることができるので、狭ピッチ化された場合でも、隣接するコンタクト間（第１，第２のコンタクト全体で）のインシュレータの肉厚を、圧入時や実使用時等におけるストレスに十分耐え得る寸法とすることができ、インシュレータが破損することなく、更なる狭ピッチ化、多芯化が可能となる。
【００３１】
また、ＺＩＦ機構は、第１，第２のコンタクトのＺＩＦ係合部と係合して、これらコンタクトの接触部を一定量変位させるだけであるので、その作業が容易で、かつ拡げすぎやコンタクトの損傷、位置ずれ等の発生を防ぐことができる。
【００３２】
また、複数の第１のコンタクト及び複数の第２のコンタクトそれぞれが、インシュレータの接続相手側嵌合部内における接続相手側との接触接続面に対し、第１のコンタクトの接触部の配列と第２のコンタクトの接触部の配列との間に一定の間隙を隔ててこれら接触部がジグザグ状配置となるように形成された構成、構造となっているので、隣接する第1のコンタクトと第２のコンタクトとの間の距離は変らなくても、その接触部における、隣接間の距離を同一列配列の場合に比べて大きくすることができて、相手方との接触接続動作に必要なスペースを十分確保することができ、しかも、接触接続動作及びＺＩＦ動作による、接触部及びその周辺の変位方向は、これらコンタクトの配列方向と直交する方向であるので、隣接間の接触、短絡が発生するのを防止することができ、従って、更なる狭ピッチ化、多芯化が可能となる。この部分は、接続相手側に対しても同様のことが言える。
【００３４】
本発明の第２の実施の形態は、複数の第１のコンタクト及び複数の第２のコンタクトそれぞれが、予め設定された面に対し、第１のコンタクトの先端部分の配列と第２のコンタクトの先端部分の配列との間に一定の間隙が生じるような形状に形成され、インシュレータが、上記複数の第１のコンタクトの先端部分及び複数の第２のコンタクトの先端部分を、ＺＩＦ機構によるこれら先端部分の変位が妨げられないように、かつ互いに接触しないように保持する、コンタクト先端保持部を備えて成る、構成、構造を有する。
【００３５】
このような構成、構造とすることにより、狭ピッチ化された場合でも、コンタクトの側面に絶縁テープを貼りつける、といった作業を行うことなく、隣接するコンタクト間の接触、短絡を防止することができ、かつ、この部分のインシュレータの肉厚も確保することができて、低コストで、更なる狭ピッチ化、多芯化が実現できる。
【００３６】
本発明の第３の実施の形態は、複数の第１のコンタクトそれぞれが、その接触部と保持固定部との間のばね部の予め定められた位置から、これら複数の第１のコンタクトの配列方向と直交する一方向に突出してこれら第１のコンタクトの配列方向の横振れを防止するための突出部を備えて成り、複数の第２のコンタクトそれぞれが、その接触部と保持固定部との間のばね部の予め定められた位置から、これら複数の第２のコンタクトの配列方向と直交して、上記第１のコンタクトの突出部とは逆の方向に突出し、これら第２のコンタクトの配列方向の横振れを防止するための突出部を備えて成り、インシュレータが、上記複数の第１のコンタクトの突出部それぞれを保持する、複数の横振れ防止用の第１のスリットと、上記複数の第２のコンタクトの突出部それぞれを保持する、複数の横振れ防止用の第２のスリットと、を備えて成る、構成、構造を有する。
【００３７】
このような構成、構造とすることにより、第１，第２のコンタクトの、保持固定部・接触部間の横振れをなくして、正確な位置を確保することができ、かつそのための、その部分のインシュレータの肉厚も確保することができて、更なる狭ピッチ化、多芯化が可能となる。
【００３８】
本発明の第４の実施の形態は、ＺＩＦ機構が、その先端を上記複数の第１のコンタクト及び複数の第２のコンタクトの鉤状のＺＩＦ係合部にひっかけるように係合させ、その中間部分をインシュレータに固定させてこの中間部分を支点として回動し、その先端部分を一定量変位させるアクチュエータを含み、上記インシュレータ、並びに複数の第１のコンタクト及び複数の第２のコンタクトに対し着脱可能な構造である、構成を有する。
【００３９】
このような構成、構造とすることにより、実装、運用状態のＺＩＦ型コネクタにはＺＩＦ機構が装着されていない状態とし、ＺＩＦ機構が装着されていることにより生じる、運用上の制約を除去することができる。
【００４２】
【実施例】
次に、本発明の実施例について図面を参照して説明する。
図１（ａ）〜（ｃ）は本発明の第１の実施例を示す側面図、Ａ−Ａ矢視断面図、及びＢ−Ｂ矢視断面図、図２（ａ）〜（ｃ）はそのインシュレータ部分の平面図、及びインシュレータのコンタクト先端保持状態を示す斜視図である。
【００４３】
この第１の実施例は、複数の第１のコンタクト１００と、複数の第２のコンタクト２００と、着脱可能なベースインシュレータ３１０、インナーインシュレータ３２０、及びフロントインシュレータ３３０から成るインシュレータ３００と、ＺＩＦ機構４００と、を主要部とする構成となっており、これらの詳細は次のとおりである。
【００４４】
複数の第１のコンタクト１００それぞれは、相手方コネクタ５００の、一定の間隔を隔てて２列に、かつジグザグ状に配置された一方の列の対応するコンタクトと接触接続するための接触部１１０と、親基板６００の、同様に２列、ジグザグ状配置の一方の列の対応する電極と接触接続するための接続部１２０と、これら接触部１１０・接続部１２０間をコの字状につなぐばね部１３０と、このばね部１３０の、コの字状の縦棒部分の２箇所から、その（コの字状の）外側方向に突出する２本の保持固定部１４０と、ばね部１３０の、コの字状の両横棒部分の縦棒寄りの中間部分から、コの字状の外側方向に突出する２本の突出部１５０と、ばね部１３０の、コの字状の両横棒部分の接触部１１０及び接続部１２０寄りの部分から、コの字状の外側方向に鉤状に突出する２つのＺＩＦ係合部１６０と、ばね部１３０の、コの字状の縦棒部分の予め定められた部位から、コの字状の内側方向に突出して延びる嵌合受け部１７０と、を備え、弾性導電体（例えば金属）で一体形成されている。
【００４５】
複数の第２のコンタクト２００それぞれは、相手方コネクタ５００の、２列、ジグザグ状配置の他方の列の対応するコンタクトと接触接続するための接触部２１０と、親基板６００の、２列、ジグザグ状配置の他方の列の対応する電極と接触接続するための接続部２２０と、これら接触部２１０・接続部２２０間をコの字状につなぐばね部２３０と、このばね部２３０のコの字状の縦棒部分の、第１のコンタクト１００の保持固定部１４０の配設位置とは重ならないような２箇所からその外側方向に突出する２本の保持固定部２４０と、ばね部２３０の、コの字状の両横棒部分の縦棒寄りの中間部分から、コの字状の内側方向に突出する２本の突出部２５０と、ばね部２３０の、接触部２１０及び接続部２２０との接合部分から、コの字状の外側方向に鉤状に突出する２つのＺＩＦ係合部２６０と、このＺＩＦ係合部２６０の最外端部分から、コの字状の縦棒とは逆方向に予め定められた形状で延びる先端部２７０と、を備え、弾性導電体（金属等）で一体形成されている。
【００４６】
インシュレータ３００は、そのうちのベースインシュレータ３１０の１つの面に、互いに一定の間隙を隔てて２列に、かつジグザグ状に配置された複数の第１のコンタクト保持部３１２及び複数の第２のコンタクト保持部３１３が、一定の間隔を隔てて２組、形成されていて、そのうちの対応する２つずつの第１のコンタクト保持部３１２に第１のコンタクト１００の保持固定部１４０を圧入し、対応する２つずつの第２のコンタクト保持部３１３に第２のコンタクト２００の保持固定部２４０を圧入して、これら複数の第１のコンタクト１００及び複数の第２のコンタクト２００を、交互に配列、保持固定する。また、ベースインシュレータ３１０の両側には、第１のコンタクト１００の突出部１５０を保持する複数のスリット３１１が形成されている。
【００４７】
また、インシュレータ３００のうちのインナーインシュレータ３２０は、複数の第１のコンタクト１００及び複数の第２のコンタクト２００のコの字状の内側に配置、固定され、これらコンタクトの接触部１１０，２１０の配列との間に、相手方コネクタ５００が挿入されてこれと嵌合する相手方コネクタ嵌合部３４０を形成し、また、接続部１２０，２２０の配列との間に、親基板６００が挿入されてこれと嵌合するスペースを形成する。また、このインナーインシュレータ３２０の両側には、第２のコンタクト２００の突出部２５０を保持する複数のスリット３２１が形成されている。
【００４８】
また、インシュレータ３００のうちのフロントインシュレータ３３０は、複数の第１のコンタクト１００及び複数の第２のコンタクト２００の先端部分を、ＺＩＦ機構４００によるこれら先端部分の変位を妨げないように保持する、コンタクト先端保持部を形成する。このコンタクト先端保持部は、配列されている複数の第１のコンタクト１００及び複数の第２のコンタクト２００を隣接する１対の第１のコンタクト１００及び第２のコンタクト２００を１組とする複数組に分けて、これら複数組それぞれの第１のコンタクト１００の先端部と第２のコンタクト２００の先端部２７０とが、ＺＩＦ機構４００によるこれら先端部の変位方向の一直線上に、互いに一定の間隙を隔てて並ぶように、第２のコンタクト２００の先端部分が形成され、またフロントインシュレータ３３０には、各組のコンタクトの先端部の、ＺＩＦ機構４００による変位方向にスリット３３１が形成されていて、これらスリット３３１に各組のコンタクトの先端部を挿入、保持するようになっている。
【００４９】
ＺＩＦ機構４００は、その先端を、複数の第１のコンタクト１００及び複数の第２のコンタクト２００の、接触部側及び接続部側それぞれのＺＩＦ係合部２６０にひっかけるように係合させ、その中間部分をベースインシュレータ３１０に固定させてこれを支点として回動し、その先端部分を一定量変位させるアクチュエータ４１０を含んで構成され、第１，第２のコンタクト１００，２００及びインシュレータ３００に対し着脱可能な構造となっている。
【００５０】
このように、第１の実施例においては、複数の第１のコンタクト１００及び複数の第２のコンタクト２００のベースインシュレータ３１０への保持固定が、第１のコンタクト１００の保持固定部１４０の列と第２のコンタクト２００の保持固定部２４０の列との間に一定の間隙を隔ててこれらをジグザグ状に配置しているので、ベースインシュレータ３１０のコンタクト保持部３１２，３１３の隣接間隔をコンタクト１００，２００の配列間隔の２倍とすることができて、この部分のインシュレータの肉厚を、圧入時や実使用時等におけるストレスに十分耐え得る寸法とすることができ、狭ピッチ化、多芯化が進んでもインシュレータ３００が破損することはなく、更なる狭ピッチ化、多芯化が可能となる。
【００５１】
また、フロントインシュレータ３３０のコンタクト先端保持部も、第１，第２のコンタクトの配列間隔の２倍の間隔でコンタクト１００，２００の先端を保持することができるので、同様の効果があり、また、コンタクトの先端を保持することでコンタクト１００，２００の配列方向の位置を正確に決定し、かつ横振れをなくすことができ、従って、従来例の、側面に絶縁テープを貼りつける、というようなことをしなくても、隣接コンタクト間の接触、短絡を防止することができ、かつ低コスト化することができる。
【００５２】
また、第１のコンタクト１００の突出部１５０はベースインシュレータ３１０側で保持され、第２のコンタクトの突出部２５０はインナーインシュレータ３２０側で保持されるので、やはり、この部分のインシュレータの肉厚を十分な強度が保てるように確保することができて、更なる狭ピッチ化、多芯化が可能となり、かつ横振れによる接触、短絡を防止することができる。
【００５３】
また、ＺＩＦ機構４００は、テコの原理を利用して、コンタクト１００，２００の接触部１１０，２１０及び接続部１２０，２２０を一定量変位させるだけであるので、その作業が容易となり、また、拡げすぎやコンタクトの損傷、位置ずれ等の発生を防止することができ、更に、インシュレータ３００等に対して着脱可能であるので、実装、運用状態ではこれを取り外して、運用上の制約、例えばディスプレイ等における光路の障害等、をなくすことができ、またスリム化することができる。
【００５４】
また、コンタクト１００，２００の接触部１１０，２１０及び接続部１２０，２２０の隣接間隔を大きくすることができて隣接間の接触、短絡を防止することができ、更なる狭ピッチ化、多芯化が可能となる。このことは、相手方コネクタ５００及び親基板６００に関しても同様である。
【００５５】
また、第１のコンタクト１００には嵌合受け部１７０が形成されていてこの嵌合受け部１７０がインナーインシュレータ３２０に圧入された構造となっているので、相手方コネクタ５００や親基板６００との嵌合時に、この嵌合受け部１７０でこれらの嵌合力を受け止める役割をはたし、ばね部１３０による接触部１１０、接続部１２０の接触圧力を安定させることができる。なお、第２のコンタクト２００に対しては、インナーインシュレータ３２０の肉厚が薄くなるため嵌合受け部に相当するものは設けられていないが、嵌合力を受け止めるインナーインシュレータ３２０は共用であるので、第１のコンタクト１００の嵌合受け部１７０の効果が第２のコンタクト２００にも波及することになる。
【００５６】
図３（ａ）〜（ｃ）は本発明の第２の実施例を示す、側面図、Ａ−Ａ矢視断面図、及びＢ−Ｂ矢視断面図、図４（ａ）〜（ｃ）はそのフロントインシュレータ部分の平面図、及びこのフロントインシュレータによるコンタクト先端保持状態を示す斜視図である。
【００５７】
この第２の実施例が前述の第１の実施例と相違する点は、第２のコンタクトの先端部分が、第１の実施例では、隣接する一方の第１のコンタクト１００の先端に対してＺＩＦ機構による変位方向に一致するように曲げられているのに対し、この第２の実施例では真っすぐに延びており、フロントインシュレータのスリットが、第１の実施例では１つのスリット３３１に１組の第１，第２のコンタクト１００，２００の先端部を保持するようになっているのに対し、第２の実施例では、第１のコンタクト１００の先端部保持用のスリット３３１ｂと、第２のコンタクト２００ａの先端部２７０ａ保持用のスリット３３１ａとを別々に形成して、これらコンタクトの先端部を保持するようにしている点であり、スリット３３１ａ，３３１ｂは、ジグザグ状でかつ一定間隙を隔てた２列配置となっている。
【００５８】
このような構成とすることにより、第２のコンタクト２００ａの形状が単純化されてその形成が容易になり、また、先端保持動作も単純化されてその動作が安定する、という利点がある。なお、そのほかの効果は第１の実施例と同様である。
【００５９】
図５（ａ）〜（ｃ）は本発明の第３の実施例を示す、側面図、Ａ−Ａ矢視断面図、及びＢ−Ｂ矢視断面図、図６（ａ），（ｂ）はそのベースインシュレータ及びスライドインシュレータ部分の平面図、並びにこれらインシュレータの係合構造を示す分解斜視図である。
この第３の実施例が、第１，第２の実施例と大きく相違する点は、第１，第２のコンタクトの先端部の保持構造とＺＩＦ機構とにあり、その他の部分も異なってはいるが、本質的には第１，第２の実施例と同様である。
【００６０】
この第３の実施例においては、第１，第２のコンタクト１００ａ，２００ｂの先端部を保持する、コンタクト先端保持部と、ＺＩＦ機構とが一体化された構成、構造となっており、複数の第１のコンタクト１００ａ及び複数の第２のコンタクト２００ｂそれぞれの、ＺＩＦ係合部が、ＺＩＦ係合延長部１８０，２８０となって、それぞれの接触部１１０ａ，２１０ｂの近傍から予め定められた長さ及び形状（ばね部１３０ａ，２３０ｂのコの字状に対し、底辺を共有する逆方向にコの字状）で延び、その先端が、一つの面内で第１のコンタクト１００ａ側の列と第２のコンタクト２００ｂ側の列との間に一定量の間隙を有し、かつジグザグ状配置となるように形成され、ＺＩＦ機構として、複数の第１のコンタクト１００ａ及び複数の第２のコンタクト２００ｂのＺＩＦ係合延長部１８０，２８０の先端部分を、そのジグザグ状配置を確保しつつ保持固定し、ベースインシュレータ３１０ａの表面に対し一定量スライドするように係合する、スライドインシュレータ３５０を備えている。
【００６１】
ベースインシュレータ３１０ａとスライドインシュレータ３５０とのスライド係合構造は、図６（ｂ）のように、ベースインシュレータ３１０ａ側のスライド係合部３１４と、スライドインシュレータ３５０側のスライド係合部３５３とがかみ合わされて係合するようになっており、その構造から、ＺＩＦ操作を行うと一定量スライドすればストップするようになっている。
【００６２】
従って、ＺＩＦ操作が容易でその時の拡げすぎ等によるコンタクト１００ａ，２００ｂの変形、位置ずれ等を防止することができ、また、コンタクト先端保持機能も兼ねているので、運用時等における接触部１１０ａ，２１０ｂの位置ずれも防止することができる。また、スライドインシュレータ３５０の、ＺＩＦ係合延長部１８０，２８０の先端保持部分をはじめ、他の部分も、第１，第２の実施例と同様に、ジグザグ状配置となっているので、狭ピッチ化が進んでも隣接コンタクト間の接触、短絡はなく、かつインシュレータの肉厚も十分確保することができてその破損を防止することができ、更なる狭ピッチ化、多芯化が可能となる。また、一体化構造のため、構造も単純化され、低コスト化することができる。
【００６３】
【発明の効果】
以上説明したように本発明は、複数のコンタクトのインシュレータへの保持固定を、一定量の間隙を隔てた２列でかつジグザグ状配置となるように配列保持固定することにより、隣接する保持固定部間の間隔を同一列配列の場合の２倍にすることができて、狭ピッチ化が進んだ場合でも、インシュレータの肉厚を十分な強度で確保することができるので、インシュレータが破損するのを防止できる上、更なる狭ピッチ化、多芯化が可能になるという効果があり、複数のコンタクトの先端部分を、同様に２列、ジグザグ状で保持するか２列、隣接１対同スリットで保持する構成とすることにより、前述の保持固定部と同様の効果があるほか、コンタクトの先端部分の位置を正確に確保してその横振れを防止して接触、短絡等を防止することができ、側面に絶縁テープを貼りつける等の作業を行わなくて済んで、低コスト化することができ、また、複数のコンタクトの接触部等を一定量変化させるＺＩＦ機構を含む構成とすることにより、ＺＩＦ操作が容易となり、かつコンタクトの接触部の拡げすぎ等を防止してその破損や位置ずれが発生するのを防止することができる効果がある。
【図面の簡単な説明】
【図１】本発明の第１の実施例を示す、側面図、Ａ−Ａ矢視断面図、及びＢ−Ｂ矢視断面図である。
【図２】図１に示された実施例の、インシュレータ部分の平面図、及びコンタクト先端保持部分の斜視図である。
【図３】本発明の第２の実施例を示す、側面図、Ａ−Ａ矢視断面図、及びＢ−Ｂ矢視断面図である。
【図４】図３に示された実施例のフロントインシュレータの平面図、及びコンタクト先端保持部分の斜視図である。
【図５】本発明の第３の実施例を示す、側面図、Ａ−Ａ矢視断面図、及びＢ−Ｂ矢視断面図である。
【図６】図５に示された実施例の、インシュレータ部分の平面図、及びそのベースインシュレータ・スライドインシュレータのスライド係合部を示す分解斜視図である。
【図７】従来のＺＩＦ型コネクタの第１の例の、側面図、Ａ−Ａ矢視断面図、及びインシュレータ部分の平面図である。
【図８】  従来のＺＩＦ型コネクタの第２の例の、側面図、Ａ−Ａ矢視断面図、及びインシュレータ部分の平面図である。
【符号の説明】
１００，１００ａ，１００ｘ，１００ｙ，  コンタクト
１１０，１１０ａ，１１０ｘ，１１０ｙ  接触部
１２０，１２０ａ，１２０ｘ，１２０ｙ  接続部
１３０，１３０ａ，１３０ｘ，１３０ｙ  ばね部
１４０，１４０ａ，１４０ｘ，１４０ｙ  保持固定部
１５０  突出部
１６０  ＺＩＦ係合部
１７０  嵌合受け部
１８０  ＺＩＦ係合延長部
２００，２００ａ，２００ｂ，２００ｘ，２００ｙ  コンタクト
２１０，２１０ｂ  接触部
２２０，２２０ｂ  接続部
２３０，２３０ｂ  ばね部
２４０，２４０ｂ  保持固定部
２５０  突出部
２６０  ＺＩＦ係合部
２７０，２７０ａ  先端部
２８０  ＺＩＦ係合延長部
３００，３００ａ，３００ｂ，３００ｘ，３００ｙ  インシュレータ
３１０，３１０ａ，３１０ｘ，３１０ｙ  ベースインシュレータ
３１１，３１１ｘ  スリット
３１２，３１２ａ，３１２ｘ，３１２ｙ  コンタクト保持部
３１３，３１３ａ  コンタクト保持部
３１４  スライド係合部
３２０，３２０ａ，３２０ｘ，３２０ｙ  インナーインシュレータ
３２１  スリット
３３０，３３０ａ  フロントインシュレータ
３３１，３３１ａ，３３１ｂ  スリット
３５０  スライドインシュレータ
３５１，３５２  先端圧入部
３５３  スライド係合部
４００  ＺＩＦ機構
４１０  アクチュエータ
【図１】
0003795728.tif 000002
【図２】
0003795728.tif 000003
【図３】
0003795728.tif 000004
【図４】
0003795728.tif 000005
【図５】
0003795728.tif 000006
【図６】
0003795728.tif 000007
【図７】
0003795728.tif 000008
【図８】
0003795728.tif 000009